(57)【要約】      （修正有）【課題】通信する機器に対して設定すべき項目の内容を予め実装していない場合であっても、通信時に所定の設定を行う必要がある機器に対して当該所定の設定をしてデータを収集する。【解決手段】情報処理装置３０は、健康機器４に関する情報を取得するペアリング部３０１と、ペアリング部が取得した健康機器に関する情報に基づいて健康機器を特定する機器特定部３０４と、シーケンス定義情報とデータ定義情報とを生体測定機器ごとに記憶する定義情報記憶部３０７、機器特定部が特定した生体測定機器に応じたシーケンス定義情報に基づいて生体測定機器と通信するシーケンス実行部３２１と、機器特定部が特定したデータ定義情報に基づいて生体の状態を表すデータのデータフォーマットを変換するフォーマット変換部３０８と、フォーマット変換部が変換したデータを送信するデータ送信部３０９と、を備える。【選択図】図３
2016045735.tif 000002
【特許請求の範囲】
【請求項１】
生体の状態を測定する生体測定機器と通信接続される情報処理装置であって、
前記生体測定機器に関する情報を取得する機器情報取得部と、
前記機器情報取得部が取得した前記生体測定機器に関する情報に基づいて前記生体測定機器を特定する機器特定部と、
通信に関するシーケンスを示す定義情報であるシーケンス定義情報とデータフォーマットを示す定義情報であるデータ定義情報とを生体測定機器ごとに記憶する定義情報記憶部と、
前記機器特定部が特定した前記生体測定機器に応じたシーケンス定義情報を前記定義情報記憶部から読み出し、読み出した前記シーケンス定義情報に基づいて前記生体測定機器と通信するシーケンス実行部と、
前記機器特定部が特定した前記生体測定機器に応じたデータ定義情報を前記定義情報記憶部から読み出し、読み出したデータ定義情報に基づいて前記生体の状態を表すデータのデータフォーマットを変換するフォーマット変換部と、
前記フォーマット変換部が変換したデータフォーマットで前記生体測定機器から送信された前記データを送信するデータ送信部と、
を備えることを特徴とする情報処理装置。
【請求項２】
前記データ送信部が前記データを送信する送信先に基づいて、前記生体測定機器から前記データを取得するための取得シーケンス定義情報を選択するシーケンス調整部
をさらに備え、
前記シーケンス実行部は、前記シーケンス調整部が選択した前記取得シーケンス定義情報に基づいて、前記生体測定機器に対して前記データを要求すること
を特徴とする請求項１に記載の情報処理装置。
【請求項３】
他の生体測定機器の定義情報との差分を示す定義差分情報と、前記他の生体測定機器の定義情報とに基づいて、機器特定部が特定した生体測定機器に対応する定義情報を決定する定義情報決定部
をさらに備え、
前記シーケンス実行部は、前記定義情報決定部が決定したシーケンス定義情報に基づいて生体測定機器と通信し、
前記フォーマット変換部は、前記定義情報決定部が決定したデータ定義情報に基づいて前記生体の状態を表すデータのデータフォーマットを変換すること
を特徴とする請求項１または２に記載の情報処理装置。
【請求項４】
生体の状態を測定する生体測定機器と通信接続される情報処理装置とを備える情報処理システムであって、
前記生体測定機器は、測定した前記生体の状態を表すデータおよび生体測定機器に関する情報を送信し、
前記情報処理装置は、
生体測定機器に関する情報を取得する機器情報取得部と、
前記機器情報取得部が取得した前記生体測定機器に関する情報に基づいて前記生体測定機器を特定する機器特定部と、
通信に関するシーケンスを示す定義情報であるシーケンス定義情報とデータフォーマットを示す定義情報であるデータ定義情報とを生体測定機器ごとに記憶する定義情報記憶部と、
前記機器特定部が特定した前記生体測定機器に応じたシーケンス定義情報を前記定義情報記憶部から読み出し、読み出した前記シーケンス定義情報に基づいて前記生体測定機器と通信するシーケンス実行部と、
前記機器特定部が特定した前記生体測定機器に応じたデータ定義情報を前記定義情報記憶部から読み出し、読み出したデータ定義情報に基づいて前記生体の状態を表すデータのデータフォーマットを変換するフォーマット変換部と、
前記フォーマット変換部が変換したデータフォーマットで前記生体測定機器から送信された前記データを送信するデータ送信部と、
を備えることを特徴とする情報処理システム。
【請求項５】
生体の状態を測定する生体測定機器と通信接続される情報処理装置における情報処理方法であって、
前記生体測定機器に関する情報を取得する機器情報取得過程と、
前記機器情報取得過程が取得した前記生体測定機器に関する情報に基づいて前記生体測定機器を特定する機器特定過程と、
通信に関するシーケンスを示す定義情報であるシーケンス定義情報とデータフォーマットを示す定義情報であるデータ定義情報とを生体測定機器ごとに記憶する定義情報記憶部から、前記機器特定過程が特定した前記生体測定機器に応じたシーケンス定義情報を読み出し、読み出した前記シーケンス定義情報に基づいて前記生体測定機器と通信するシーケンス実行過程と、
前記定義情報記憶部から、前記機器特定過程が特定した前記生体測定機器に応じたデータ定義情報読み出し、読み出したデータ定義情報に基づいて前記生体の状態を表すデータのデータフォーマットを変換するフォーマット変換過程と、
前記フォーマット変換過程が変換したデータフォーマットで前記生体測定機器から送信された前記データを送信するデータ送信過程と、
を有することを特徴とする情報処理方法。
【発明の詳細な説明】
【技術分野】
【０００１】
本発明は、情報処理装置、情報処理システムおよび情報処理方法に関する。
【背景技術】
【０００２】
データフォーマットの異なる複数の機器から出力されるデータを収集する場合、データを収集する機器の種類の指定を不要にすると共に、データフォーマットの異なる新たな機器からのデータを収集することが必要になった場合に於いても、データ収集装置のプログラムの修正を不要にする装置がある（例えば、特許文献１参照）。
【先行技術文献】
【特許文献】
【０００３】
【特許文献１】特開平７−１６０５５６号公報
【発明の概要】
【発明が解決しようとする課題】
【０００４】
しかしながら、特許文献１に記載の技術では、通信の開始時または通信の終了時に所定の設定（例えば初期設定等）を行う必要がある機器のデータを収集する場合、その設定すべき項目の内容（仕様等）を機器ごとに予め実装しておかなければならない、という問題がある。例えば、体組成計では、体脂肪率等の測定データを算出するために、測定データ取得前に性別、年齢、身長の設定を行う。また、活動量計では、活動量等の測定データを算出するために、測定データ取得前に、性別、年齢、身長、体重の設定を行う。また、測定データのセキュリティを確保するため、パスコードなど事前に指定された情報を設定する事で、測定データの取得が可能になるような機器もある。
【０００５】
本発明は上記の点に鑑みてなされたものであり、通信する機器に対して設定すべき項目の内容を予め実装していない場合であっても、通信時に所定の設定を行う必要がある機器に対して当該所定の設定をしてデータを収集することができる情報処理装置、情報処理システムおよび情報処理方法を提供することを課題とする。
【課題を解決するための手段】
【０００６】
（１）本発明は上記の課題を解決するためになされたものであり、本発明の第１の態様は、生体の状態を測定する生体測定機器と通信接続される情報処理装置であって、前記生体測定機器に関する情報を取得する機器情報取得部と、前記機器情報取得部が取得した前記生体測定機器に関する情報に基づいて前記生体測定機器を特定する機器特定部と、通信に関するシーケンスを示す定義情報であるシーケンス定義情報とデータフォーマットを示す定義情報であるデータ定義情報とを生体測定機器ごとに記憶する定義情報記憶部と、前記機器特定部が特定した前記生体測定機器に応じたシーケンス定義情報を前記定義情報記憶部から読み出し、読み出した前記シーケンス定義情報に基づいて前記生体測定機器と通信するシーケンス実行部と、前記機器特定部が特定した前記生体測定機器に応じたデータ定義情報を前記定義情報記憶部から読み出し、読み出したデータ定義情報に基づいて前記生体の状態を表すデータのデータフォーマットを変換するフォーマット変換部と、前記フォーマット変換部が変換したデータフォーマットで前記生体測定機器から送信された前記データを送信するデータ送信部と、を備えることを特徴とする情報処理装置である。
【０００７】
（２）また、本発明の第２の態様は、生体の状態を測定する生体測定機器と通信接続される情報処理装置とを備える情報処理システムであって、前記生体測定機器は、測定した前記生体の状態を表すデータおよび生体測定機器に関する情報を送信し、前記情報処理装置は、生体測定機器に関する情報を取得する機器情報取得部と、前記機器情報取得部が取得した前記生体測定機器に関する情報に基づいて前記生体測定機器を特定する機器特定部と、通信に関するシーケンスを示す定義情報であるシーケンス定義情報とデータフォーマットを示す定義情報であるデータ定義情報とを生体測定機器ごとに記憶する定義情報記憶部と、前記機器特定部が特定した前記生体測定機器に応じたシーケンス定義情報を前記定義情報記憶部から読み出し、読み出した前記シーケンス定義情報に基づいて前記生体測定機器と通信するシーケンス実行部と、前記機器特定部が特定した前記生体測定機器に応じたデータ定義情報を前記定義情報記憶部から読み出し、読み出したデータ定義情報に基づいて前記生体の状態を表すデータのデータフォーマットを変換するフォーマット変換部と、前記フォーマット変換部が変換したデータフォーマットで前記生体測定機器から送信された前記データを送信するデータ送信部と、を備えることを特徴とする情報処理システムである。
【０００８】
（３）また、本発明の第３の態様は、生体の状態を測定する生体測定機器と通信接続される情報処理装置における情報処理方法であって、前記生体測定機器に関する情報を取得する機器情報取得過程と、前記機器情報取得過程が取得した前記生体測定機器に関する情報に基づいて前記生体測定機器を特定する機器特定過程と、通信に関するシーケンスを示す定義情報であるシーケンス定義情報とデータフォーマットを示す定義情報であるデータ定義情報とを生体測定機器ごとに記憶する定義情報記憶部から、前記機器特定過程が特定した前記生体測定機器に応じたシーケンス定義情報を読み出し、読み出した前記シーケンス定義情報に基づいて前記生体測定機器と通信するシーケンス実行過程と、前記定義情報記憶部から、前記機器特定過程が特定した前記生体測定機器に応じたデータ定義情報読み出し、読み出したデータ定義情報に基づいて前記生体の状態を表すデータのデータフォーマットを変換するフォーマット変換過程と、前記フォーマット変換過程が変換したデータフォーマットで前記生体測定機器から送信された前記データを送信するデータ送信過程と、を有することを特徴とする情報処理方法である。
【発明の効果】
【０００９】
本発明によれば、通信する機器に対して設定すべき項目の内容を予め実装していない場合であっても、通信時に所定の設定を行う必要がある機器に対して当該所定の設定をしてデータを収集することができる。
【図面の簡単な説明】
【００１０】
【図１】本発明の第１の実施形態に係る情報処理システムの構成の一例を示す概略ブロック図である。
【図２】第１の実施形態に係る情報処理装置のハードウェア構成の一例を示すハードウェア構成図である。
【図３】第１の実施形態に係る情報処理装置の機能構成の一例を示す概略ブロック図である。
【図４】第１の実施形態に係る定義情報記憶部が記憶するデータ定義情報の一例を示すテーブルである。
【図５】第１の実施形態に係る送信データのデータフォーマットの一例を示す概略図である。
【図６】第１の実施形態に係る健康機器から送信される測定データおよびデータフォーマットの一例を示す概略図である。
【図７】第１の実施形態に係る健康機器から送信される測定データおよびデータフォーマットの他の一例を示す概略図である。
【図８】第１の実施形態に係るフォーマット変換部が生成した送信データおよびデータフォーマットの一例を示す概略図である。
【図９】第１の実施形態に係る定義情報記憶部が記憶するシーケンステーブルのデータ構造及びデータ例を示す概略図である。
【図１０】第１の実施形態に係る定義情報記憶部が記憶するシーケンス定義情報の一例を示す概略図である。
【図１１】第１の実施形態に係る定義情報記憶部が記憶するシーケンス定義情報の一例を示す概略図である。
【図１２】第１の実施形態に係る定義情報記憶部が記憶するシーケンス定義情報の一例を示す概略図である。
【図１３】第１の実施形態に係る定義情報記憶部が記憶するメッセージ定義情報の一例を示す概略図である。
【図１４】第１の実施形態に係る定義情報記憶部が記憶するメッセージ定義情報の一例を示す概略図である。
【図１５】第１の実施形態に係る定義情報記憶部が記憶するメッセージ定義情報の一例を示す概略図である。
【図１６】第１の実施形態に係る変換処理部のフォーマット変換処理の一例を示すフローチャートである。
【図１７】本発明の第２の実施形態に係る情報処理装置の機能構成の一例を示す概略ブロック図である。
【図１８】第２の実施形態に係る健康機器から送信される測定データおよびデータフォーマットの一例を示す概略図である。
【図１９】第２の実施形態に係る定義情報記憶部が記憶する定義情報及び定義差分情報の一例を示す概略図である。
【図２０】第２の実施形態に係る定義情報記憶部が記憶する基本定義差分情報の一例を示す概略図である。
【図２１】第２の実施形態に係る定義情報記憶部が記憶するデータ定義差分情報の一例を示す概略図である。
【図２２】第２の実施形態に係る送信データのデータフォーマットの一例を示す概略図である。
【図２３】第２の実施形態に係る変換処理部の定義情報決定処理の一例を示すフローチャートである。
【発明を実施するための形態】
【００１１】
以下、図面を参照しながら本発明の実施形態について詳しく説明する。
（第１の実施形態）
まず、本発明の第１の実施形態について説明する。
図１は、本発明の第１の実施形態に係る情報処理システムＳ１の構成の一例を示す概略ブロック図である。
図１に示すように、情報処理システムＳ１は、データ収集サーバ装置１と、定義情報サーバ装置２と、情報処理装置３と、健康機器４と、を含んで構成される。情報処理装置３は、記憶部３１と、入力部３２と、第２通信部３３と、制御部３４と、第１通信部３５と、表示部３６と、を含んで構成される。
【００１２】
データ収集サーバ装置１は、インターネットなどの通信路を介して、情報処理装置３に通信接続されている。なお、データ収集サーバ装置１には、複数の情報処理装置３が通信接続されていてもよい。データ収集サーバ装置１は、後述する情報処理装置３が健康機器４から受信した測定データをデータ変換し、データ変換した測定データのデータフォーマットを変換して生成した送信データを記憶する。データ収集サーバ装置１は、情報処理装置３から後述する取得シーケンスに関する問い合わせを受信すると、当該問い合わせに対する応答を返信する。
【００１３】
定義情報サーバ装置２は、インターネットなどの通信路を介して、情報処理装置３に通信接続されている。なお、定義情報サーバ装置２には、複数の情報処理装置３が通信接続されていてもよい。定義情報サーバ装置２は、健康機器４を特定するための機器特定情報に対応する定義情報を記憶している。定義情報には、データ定義情報と、シーケンス定義情報と、メッセージ定義情報とが含まれる。データ定義情報は、データのフォーマットを示す定義情報である。シーケンス定義情報は、機器特定情報ごとのシーケンス定義情報であり、健康機器４との通信に関するシーケンスを示す定義情報である。メッセージ定義情報は、シーケンス定義情報に記載されているメッセージを定義する定義情報である。定義情報サーバ装置２は、情報処理装置３から機器特定情報を含む問い合わせを受けると、当該問い合わせに対する応答として、当該機器特定情報に対応する定義情報を情報処理装置３に返す。具体的には、定義情報サーバ装置２は、情報処理装置３から機器特定情報を含む問い合わせを受けると、当該問い合わせに対する応答として、当該機器特定情報に対応するデータ定義情報とシーケンス定義情報と当該シーケンス定義情報に記載されているメッセージのメッセージ定義情報とを情報処理装置３に返す。
【００１４】
情報処理装置３は、スマートフォン、タブレット、パーソナルコンピュータなどである。情報処理装置３は、健康機器４と当該健康機器４のアドレス、認証キー、暗号化キーなどを交換して通信接続を確立する。そして、情報処理装置３は、健康機器４から機器情報を取得し、当該機器情報に基づいて定義情報を特定する機器特定情報を生成する。情報処理装置３は、健康機器４から当該健康機器４により測定された測定データを取得し、機器特定情報に基づいて測定データをデータ変換し、データ変換した測定データのデータフォーマットを変換して送信データを生成し、当該送信データをデータ収集サーバ装置１に送信する。健康機器４は、生体の状態を測定する生体測定機器であり、例えば、歩数計、活動量計、体重計、体組成計、血圧計、脈拍計、体温計などである。健康機器４は、ブルートゥース（Ｂｌｕｅｔｏｏｔｈ（登録商標））などの通信路を介して、測定データを情報処理装置３に送信する。ここで、測定データには、測定項目に対応する一つまたは複数のデータ情報が含まれる。
【００１５】
次いで、情報処理装置３の構成を説明する。
記憶部３１は、ＲＡＭ（Ｒａｎｄｏｍ  Ａｃｃｅｓｓ  Ｍｅｍｏｒｙ；ランダムアクセスメモリ）、マスクＲＯＭ（Ｒｅａｄ  Ｏｎｌｙ  Ｍｅｍｏｒｙ：ロム）、ＦｅＲＡＭ（Ｆｅｒｒｏｅｌｅｃｔｒｉｃ  Ｒａｎｄａｍ  Ａｃｃｅｓｓ  Ｍｅｍｏｒｙ：強誘電体メモリ）、フラッシュメモリ、メモリカード、ハードディスク、ＳＳＤ（Ｓｏｌｉｄ  Ｓｔａｔｅ  Ｄｒｉｖｅ；ソリッドステートドライブ）などのメモリであり、制御部３４が実行するプログラムおよび制御部３４が当該プログラムを実行する際に必要となるデータを記憶する。当該プログラムには、アプリケーションやミドルウェアデバイスドライバ、オペレーションシステムなども含まれる。入力部３２は、タッチパネル、入力キー、マウス、音声入力装置など、ユーザによる入力操作を受け付ける入力デバイスである。
【００１６】
第２通信部３３は、無線ＬＡＮ（Ｌｏｃａｌ  Ａｒｅａ  Ｎｅｔｗｏｒｋ；ローカルエリアネットワーク）による通信を行う。情報処理装置３の各部がデータ収集サーバ装置１との間で行う通信は、第２通信部３３を介して行われる。また、情報処理装置３の各部が定義情報サーバ装置２との間で行う通信は、第２通信部３３を介して行われる。なお、第２通信部３３は、３Ｇ（第３世代）回線、４Ｇ回線、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ；ワイマックス）、ＬＴＥ（Ｌｏｎｇ  Ｔｅｒｍ  Ｅｖｏｌｕｔｉｏｎ）などのその他の無線通信、あるいは、インターネットなどの有線通信を行ってもよい。
【００１７】
制御部３４は、ＣＰＵ（Ｃｅｎｔｒａｌ  Ｐｒｏｃｅｓｓｉｎｇ  Ｕｎｉｔ；中央演算処理装置）を備え、記憶部３１が記憶するプログラムを実行することで、情報処理装置３の各部を制御する。第１通信部３５は、ブルートゥース（Ｂｌｕｅｔｏｏｔｈ（登録商標））による通信を行う。本実施形態では、情報処理装置３の各部が健康機器４との間で行う通信は、第１通信部３５を介して行われる。なお、第１通信部３５は、ＮＦＣ（Ｎｅａｒ  Ｆｉｅｌｄ  Ｃｏｍｍｕｎｉｃａｔｉｏｎ；近距離通信）、無線ＬＡＮなどのその他の無線通信、あるいは、ＵＳＢ（Ｕｎｉｖｅｒｓａｌ  Ｓｅｒｉａｌ  Ｂｕｓ；ユーエスビー）などの有線通信を行ってもよい。表示部３６は、液晶ディスプレイ、有機ＥＬ（Ｅｌｅｃｔｒｏ  Ｌｕｍｉｎｅｓｃｅｎｃｅ）ディスプレイ、プラズマディスプレイなどの表示装置を備え、画像を表示する。
【００１８】
図２は、第１の実施形態に係る情報処理装置３のハードウェア構成の一例を示すハードウェア構成図である。
情報処理装置３は、ＣＰＵ５０１と、第１通信部５０２と、第２通信部５０３と、出力部５０４と、メモリ５０５と、入力部５０６と、を備える。ＣＰＵ５０１と、第１通信部５０２と、第２通信部５０３と、出力部５０４と、メモリ５０５と、入力部５０６とは、バスＢ（母線）を介して相互に接続される。
ＣＰＵ５０１は、制御部３４であり、メモリ５０５が記憶するプログラムや各種データを読み出して実行し、情報処理装置３を制御する。第１通信部５０２は、第１通信部３５である。第２通信部５０３は、第２通信部３３である。出力部５０４は、表示部３６、スピーカなどの出力装置である。メモリ５０５は、記憶部３１である。入力部５０６は、入力部３２である。
【００１９】
図３は、第１の実施形態に係る情報処理装置３の機能構成の一例を示す概略ブロック図である。
本図において、変換処理部３０は、制御部３４が記憶部３１からプログラムを読み出して実行することで実現される。変換処理部３０は、ペアリング部３０１と、機器情報記憶部３０２と、機器特定部３０４と、定義情報取得部３０５と、データ取得部３０６と、定義情報記憶部３０７と、フォーマット変換部３０８と、データ送信部３０９と、シーケンス実行部３２１と、シーケンス調整部３２２と、を含んで構成される。
【００２０】
ペアリング部３０１は、広告（ａｄｖｅｒｔｉｓｉｎｇ）している健康機器４を検出し、当該健康機器４と接続し、情報処理装置３と健康機器４との間の通信に必要な通信情報を交換し、情報処理装置３と健康機器４との間の通信接続を確立する。そして、ペアリング部３０１は、当該通信情報を機器情報記憶部３０２に記憶させる。ここで、通信情報とは、健康機器４のアドレス情報、認証キー情報、暗号化キー情報などを含む通信接続を確立するための情報である。例えば、ペアリング部３０１は、広告しているブルートゥース機器（健康機器４）を検出し、当該ブルートゥース機器と接続し、情報処理装置３とブルートゥース機器との間の通信に必要なブルートゥース機器のアドレス、認証キー情報、暗号化キー情報を交換し、情報処理装置３とブルートゥース機器との間の通信接続を確立する。
【００２１】
ペアリング部３０１は、通信接続された健康機器４が提供するサービスを検索し、当該サービスに含まれる機器情報を提供するサービスに対してデータ要求を行い、健康機器４から機器情報を取得する。ここで、機器情報とは、健康機器４の機種名と、機種種別とを含む情報である。なお、機器情報は、健康機器４の機種を識別できる情報であればよく、ＪＡＮ（Ｊａｐａｎｅｓｅ  Ａｒｔｉｃｌｅ  Ｎｕｍｂｅｒ；ジャン）コードなどの商品識別コードであってもよいし、型番や機種名であってもよいし、メーカー名と型番とのように複数の機種を識別できる情報の組み合わせであってもよい。
ペアリング部３０１は、通信接続を確立した健康機器４と、取得した機器情報と、を対応付けて機器情報記憶部３０２に記憶させる。
なお、２回目以降、同じ健康機器４と接続する場合、ペアリング部３０１は、機器情報の取得を行わなくてもよい。これにより、健康機器４と通信接続する毎に機器情報を取得する必要がなくなり、処理を簡素化できるとともに、処理時間を短縮することができる。また、当該処理の簡素化、処理時間の短縮により消費電力を削減することができる。
【００２２】
機器情報記憶部３０２は、健康機器４と機器情報とを対応付けて記憶する。具体的には、機器情報記憶部３０２は、健康機器４のアドレスと機器情報とを対応付けて記憶する。
機器特定部３０４は、機器情報記憶部３０２から機器情報に含まれるメーカー名と型番とを読み出し、当該メーカー名と型番とから健康機器４の定義情報を特定するための機器特定情報を生成する。そして、機器特定部３０４は、生成した機器特定情報を定義情報取得部３０５およびフォーマット変換部３０８に出力する。また、機器特定部３０４は、生成した機器特定情報を定義情報記憶部３０７に記憶させる。
【００２３】
なお、機器特定情報には、歩数計、活動量計、体重計、体組成計、血圧計、脈拍計、体温計などの健康機器４の種別が含まれてもよい。また、機器情報には、一定の共通点を有する健康機器４が機器群に予め分類された機器群情報が含まれてもよく、当該機器群情報が機器情報に含まれる場合、機器特定部３０４は、当該機器群情報と、メーカー名とから機器特定情報を生成してもよい。
【００２４】
なお、機器特定部３０４が機器特定情報に基づいて定義情報記憶部３０７を参照し、当該機器特定情報に対応する定義情報が定義情報記憶部３０７に記憶されている場合、定義情報取得部３０５は、定義情報の取得を行わなくてもよい。これにより、ネットワークを経由した問い合わせおよび当該問い合わせに対する応答の取得などの処理が不要になり、処理時間が短縮することができるため消費電力を削減することができる。
【００２５】
定義情報取得部３０５は、機器特定部３０４から入力された機器特定情報に基づいて定義情報サーバ装置２に問い合わせを送信し、当該問い合わせに対する応答として当該機器特定情報に対応する定義情報を取得する。この定義情報には、上述のように、データ定義情報と、シーケンス定義情報と、メッセージ定義情報とが含まれる。データ定義情報には、データ定義と、変換規則とが含まれる。データ定義には、データ名と、データＩＤと、データ構造と、データの位置と、データのサイズと、データのデータ型と、単位と、が含まれる。また、変換規則には、データフォーマットにおける変換位置と、変換するデータ型を表すデータ型変換と、単位変換とが含まれる。具体的には、定義情報取得部３０５は、機器特定部３０４から入力された機器特定情報に基づいて、定義情報サーバ装置２に問い合わせを送信し、当該問い合わせに対する応答として当該機器特定情報に対応するデータ定義情報とシーケンス定義情報と当該シーケンス定義情報に記載されたメッセージのメッセージ定義情報とを取得する。
定義情報取得部３０５は、機器特定情報と、取得した定義情報と、を対応付けて定義情報記憶部３０７に記憶させる。
【００２６】
データ取得部３０６は、通信接続が確立された健康機器４から随時、送信される測定データを取得し、当該測定データをフォーマット変換部３０８に出力する。なお、この測定データの構造は、例えば、データＩＤとデータ情報とが対になったデータ構造である。また、データ情報は、一つの測定項目のデータ情報であってもよいし、複数の測定項目のデータ情報がまとめられたデータ情報であってもよい。
定義情報記憶部３０７は、機器特定情報と上述の定義情報とを対応付けて記憶する。
【００２７】
フォーマット変換部３０８は、機器特定部３０４から入力された機器特定情報に基づいて定義情報記憶部３０７からデータ定義情報を読み出し、当該データ定義情報に含まれるデータ定義に基づいてデータ取得部３０６から入力された測定データに付随するデータＩＤを判定する。そして、フォーマット変換部３０８は、判定したデータＩＤに基づいて測定データの種類、構成、属性を特定し、データ定義情報に含まれる変換規則に基づいて測定データのデータ情報ごとにデータ変換し、データ変換した測定データのデータフォーマットを変換することで送信データを生成する。フォーマット変換部３０８は、生成した送信データをデータ送信部３０９に出力する。
【００２８】
データ送信部３０９は、フォーマット変換部３０８から入力された送信データに対し、データの符号化、変調、ＡＤ（Ａｎａｌｏｇ  ｔｏ  Ｄｉｇｉｔａｌ：アナログデジタル）変換、周波数変換、などの通信処理を施す。データ送信部３０９は、通信処理を施した送信データをデータ収集サーバ装置１に送信する。なお、データ送信部３０９は、通信処理を施した送信データを複数のデータ収集サーバ装置１に送信してもよい。
【００２９】
シーケンス実行部３２１は、機器特定部３０４が特定した機器特定情報に対応するシーケンス定義情報を定義情報記憶部３０７から読み出し、読み出したシーケンス定義情報に基づいて、第１通信部３５を制御して健康機器４と通信する。シーケンス定義情報には、開始シーケンス定義情報と、終了シーケンス定義情報と、取得シーケンス定義情報と、がある。開始シーケンス定義情報は、健康機器４と通信を開始する際のシーケンスである開始シーケンスを定義したシーケンス定義情報である。終了シーケンス定義情報は、健康機器４と通信を終了する際のシーケンスである終了シーケンスを定義したシーケンス定義情報である。取得シーケンス定義情報は、健康機器４からデータを取得するためのシーケンスである取得シーケンスを定義したシーケンス定義情報である。シーケンス実行部３２１は、開始シーケンス定義情報に定義されているシーケンスに従って、健康機器４と通信を開始し、健康機器４からデータを受信する準備を整える。また、シーケンス実行部３２１は、シーケンス調整部３２２が選択した最適な取得シーケンス定義情報に定義されているシーケンスに従って、健康機器４に対して測定データを要求して取得する。また、シーケンス実行部３２１は、終了シーケンス定義情報に定義されているシーケンスに従って、健康機器４との通信を終了する。
【００３０】
シーケンス調整部３２２は、送信データの送信先であるデータ収集サーバ装置１に基づいて、取得シーケンスを１つ選択する。具体的には、まず、シーケンス調整部３２２は、機器特定部３０４が特定した機器特定情報に対応する取得シーケンス定義情報を定義情報記憶部３０７から読み出す。続いて、シーケンス調整部３２２は、読み出した取得シーケンス定義情報が複数ある場合には、読み出した複数の取得シーケンス定義情報に関する問い合わせをデータ収集サーバ装置１に送信して、当該問い合わせに対する応答に基づいて最適な取得シーケンス定義情報を１つ選択する。最適な取得シーケンス定義情報は、読み出した複数の取得シーケンス定義情報のうち、これまでのデータ収集の状態等に基づく評価の最も高い取得シーケンス定義情報である。具体的には、シーケンス調整部３２２は、データ収集サーバ装置１におけるデータ収集の状態や、シーケンス実行部３２１が実行した開始シーケンスにおいて取得した健康機器４の機器状況等に基づいて、取得シーケンスを評価する。シーケンス調整部３２２は、最適な取得シーケンス定義情報をシーケンス実行部３２１に出力する。
【００３１】
なお、本実施形態では、フォーマット変換部３０８が生成した送信データをデータ収集サーバ装置１に送信すると説明したが、データ収集サーバ装置１の代わりに変換処理部３０に予めインストールされたデータ収集用のアプリケーションに送信データを送信してもよい。この場合、ネットワークを経由したデータ送信の必要がなくなるため、処理時間を短縮することができ、消費電力を削減することができる。また、第２通信部３３が一時的に通信不可能になった場合であっても、データ収集用のアプリケーションへのデータ送信は可能であり、表示部３６を用いて送信データを確認することもできる。
【００３２】
図４は、第１の実施形態に係る定義情報記憶部３０７が記憶するデータ定義情報の一例を示すテーブルである。
図示するようにデータ定義情報は、定義番号と、データ名と、データＩＤと、データ構造と、位置と、サイズと、データ型と、単位と、変換位置と、データ型変換と、単位変換と、の各項目の列を有する行と列からなる２次元の表形式のデータである。ここで、定義情報には、定義番号、データ名、データＩＤ、データ構造、位置、サイズ、データ型、単位のデータ定義と、変換位置、データ型変換、単位変換の変換規則と、が含まれる。定義情報記憶部３０７は、機器特定情報ごとにデータ定義情報を記憶している。
【００３３】
例えば、データ定義情報のテーブルＴ１の１行目は、定義番号が１であり、データ名が体重であり、データＩＤがＡＡＡＡであり、データ構造が多重であり、位置が０であり、サイズが２であり、データ型が１６ビット浮動小数点数であり、単位がＫｇであり、変換位置が（３）であり、データ型変換が最大４桁小数点第１位であり、単位変換が「そのまま」である。
２行目は、定義番号が２であり、データ名が体脂肪率であり、データＩＤがＡＡＡＡであり、データ構造が多重であり、位置が２であり、サイズが２であり、データ型が１６ビット浮動小数点数であり、単位が％であり、変換位置が（４）であり、データ型変換が最大３桁小数点第１位であり、単位変換が「そのまま」である。
３行目は、定義番号が３であり、データ名が骨格筋率であり、データＩＤがＡＡＡＡであり、データ構造が多重であり、位置が４であり、サイズが２であり、データ型が１６ビット浮動小数点数であり、単位が％であり、変換位置が（５）であり、データ型変換が最大３桁小数点第１位であり、単位変換が「そのまま」である。
４行目は、定義番号が４であり、データ名がタイムスタンプであり、データＩＤがＡＡＡＡであり、データ構造が多重であり、位置が６であり、サイズが７であり、データ型が７バイト年月日時分秒であり、単位が秒であり、変換位置が（１）であり、データ型変換が年月日時分秒（文字列）であり、単位変換が「そのまま」である。
５行目は、定義番号が５であり、データ名がユーザ番号であり、データＩＤがＢＢＢＢであり、データ構造が単一であり、位置が０であり、サイズが１であり、データ型が８ビット整数であり、単位が「なし」であり、変換位置が（２）であり、データ型変換が最大３桁であり、単位変換が「そのまま」である。
【００３４】
ここで、データ名とは、健康機器４から送信される測定データに含まれる情報の名称であり、データＩＤとは、健康機器４から送信される測定データに付随する識別子（Ｉｄｅｎｔｉｆｉｅｒ；ＩＤ）である。また、データ構造には、健康機器４から送信される測定データのデータ構造が多重構造を表す「多重」、単一構造を表す「単一」が格納される。また、位置とは、健康機器４から送信される測定データに含まれるデータ情報の位置であり、サイズとは、当該データ情報のバイトサイズである。データ型とは、健康機器４から送信される測定データのデータ情報ごとのデータ型である。単位とは、健康機器４から送信される測定データのデータ情報ごとに付随する単位であり、変換位置とは、健康機器４から送信される測定データに含まれるデータ情報を送信データのフォーマットに埋め込む位置である。また、データ型変換とは、健康機器４から送信されるデータ情報を送信データに変換するときの変換方法であり、単位変換には、データ情報に付随する単位、例えば、体重に付随する単位であるｋｇをポンド、オンスなどへの単位変換のように、変換後の単位が格納される。
なお、本実施形態では、測定データに付随するデータＩＤが一つの場合について説明しているが、カテゴリＩＤ、データＩＤなど複数のＩＤを付随した階層型の測定データであってもよい。これにより、データ情報の数が増えた場合でも、測定データの管理を容易に行うことができる。
【００３５】
図５は、第１の実施形態に係る送信データのデータフォーマットの一例を示す概略図である。
図示するように、送信データのデータフォーマットは、例えば、データフォーマットの始点を表す“ＳＴＡＲＴ”、データ名“タイムスタンプ”、区切りを表す「，」、タイムスタンプのデータ情報を格納する“（１）”、区切りを表す「，」、データ名“ユーザ番号”、区切りを表す「，」、ユーザ番号のデータ情報を格納する“（２）”、区切りを表す「，」、データ名“体重”、区切りを表す「，」、体重のデータ情報を格納する（３）、区切りを表す「，」、データ名“体脂肪率”、区切りを表す「，」、体脂肪率のデータ情報を格納する“（４）”、区切りを表す「，」、データ名“骨格筋率”、区切りを表す「，」、骨格筋率のデータ情報を格納する“（５）”、データフォーマットの終了を表す“ＥＮＤ”の順にデータ名とデータ情報とを格納するものである。ここで、例えば、（１）は、定義情報のテーブルＴ１における４行目の変換位置（１）に対応する。
【００３６】
図６は、第１の実施形態に係る健康機器４から送信される測定データおよびデータフォーマットの一例を示す概略図である。
図示するように、健康機器４から送信されるデータフォーマットには、ＡＡＡＡ、ｃｆ、ｆ２、ｃ９、ｆ０、４９、ｆ１、ｄｄ、０７、０２、１ｃ、１２、１ｅ、００の順に測定データのデータ情報のバイト列が格納されている。
フォーマット変換部３０８は、定義情報に含まれるデータ定義に基づいて測定データに付随するデータＩＤを判定することでデータ構成を判定する。例えば、フォーマット変換部３０８は、データＩＤ、ＡＡＡＡからデータ構成を判定し、定義情報のテーブルＴ１の位置の項目列からｃｆ、ｆ２が体重を表すデータ情報、ｃ９、ｆ０が体脂肪率を表すデータ情報、４９、ｆ１が骨格筋率を表すデータ情報、ｄｄ、０７、０２、１ｃ、１２、１ｅ、００がタイムスタンプを表すデータ情報と判定する。
【００３７】
図７は、第１の実施形態に係る健康機器４から送信される測定データおよびデータフォーマットの他の一例を示す概略図である。
図示するように、健康機器４から送信されるデータフォーマットには、ＢＢＢＢ、０１の順に測定データのデータ情報のバイト列が格納されている。フォーマット変換部３０８は、例えば、データＩＤ、ＢＢＢＢからデータ構成を判定し、０１がユーザ番号を表すデータ情報と判定する。
【００３８】
図８は、第１の実施形態に係るフォーマット変換部３０８が生成した送信データおよびデータフォーマットの一例を示す概略図である。
図４、図５および図６を参照して測定データのデータフォーマットの変換手段を説明する。フォーマット変換部３０８は、データ定義情報のテーブルＴ１におけるサイズが２以上であるデータ情報に対しては、データの下位バイトからデータ変換処理を行うリトルエンディアンの方法を使用する。また、１６ビット浮動小数点数のフォーマットは、順に、基数１０の指数部４ビット（２の補数）、仮数部１２ビット（２の補数）から構成されるものとする。
【００３９】
例えば、フォーマット変換部３０８は、データ定義情報のテーブルＴ１における１行目の体重のデータ情報のデータ型が１６ビット浮動小数点数、サイズが２であることから、図６における体重を表すバイト列ｃｆ、ｆ２からｆ２ｃｆｈと変換し、指数部をｆｈ＝−１、仮数部を２ｃｆｈ＝７１９と算出する。そして、フォーマット変換部３０８は、算出したｆｈ＝−１、２ｃｆｈ＝７１９から７１９×１０−１＝７１．９と変換することで体重を表すデータ情報のデータ変換を行う。そして、フォーマット変換部３０８は、データ定義情報のテーブルＴ１における１行目の体重のデータ情報の変換位置が（３）であることから、図５におけるデータ名“体重”の次の“（３）”にデータ変換した７１．９を格納する。
同様に、フォーマット変換部３０８は、体脂肪率、骨格筋率のデータ情報をデータ変換する。
【００４０】
例えば、フォーマット変換部３０８は、データ定義情報のテーブルＴ１における４行目のタイムスタンプのデータ情報のデータ型がバイト年月日時分秒、サイズが７であることから、図６における位置６から１２までのバイト列、ｄｄ、０７、０２、１ｃ、１２、１ｅ、００から、０７ｄｄｈ＝２０１３、０２ｈ＝２、１ｃｈ＝２８、１２ｈ＝１４、１ｅｈ＝３０、００ｈ＝００、０１ｈ＝１と算出し、２０１３−２−２８−１４：３０：００とタイムスタンプを表すデータ情報のデータ変換を行う。そして、フォーマット変換部３０８は、データ定義情報のテーブルＴ１における４行目のタイムスタンプのデータ情報の変換位置が（１）であることから、図５におけるデータ名“タイムスタンプ”の次の“（１）”にデータ変換した２０１３−２−２８−１４：３０：００を格納する。
このようにして、フォーマット変換部３０８は、測定データをデータ変換し、測定データのデータフォーマットを変換して図８に示す送信データを生成する。
【００４１】
図９は、第１の実施形態に係る定義情報記憶部３０７が記憶するシーケンステーブルのデータ構造及びデータ例を示す概略図である。
図示するようにシーケンステーブルは、機器特定情報と、開始シーケンス名と、終了シーケンス名と、取得シーケンス名と、の各項目の列を有する行と列からなる２次元の表形式のデータである。開始シーケンス名は、開始シーケンス定義情報の識別情報（シーケンス名）である。終了シーケンス名は、終了シーケンス定義情報の識別情報（シーケンス名）である。開始シーケンス名及び終了シーケンス名には、１つのシーケンス定義情報を設定することができる。取得シーケンス名は、取得シーケンス定義情報の識別情報（シーケンス名）である。取得シーケンス名には、１または複数のシーケンス定義情報を設定することができる。
例えば、機器特定情報「機器群１」に対応する開始シーケンス名は「開始シーケンス」であり、終了シーケンス名は「終了シーケンス」であり、取得シーケンス名は「取得シーケンス１」と「取得シーケンス２」とである。
【００４２】
図１０から図１２は、第１の実施形態に係る定義情報記憶部３０７が記憶するシーケンス定義情報の一例を示す概略図である。
図示するように、シーケンス定義情報は、シーケンス名と、シーケンスｔｙｐｅと、シーケンスの各ステップを示すステップテーブルとを有するデータである。シーケンス名は、シーケンスの名称であり、シーケンス定義情報の識別情報である。シーケンスｔｙｐｅは、シーケンスの種別が「開始シーケンス」であるか「終了シーケンス」であるか「取得シーケンス」であるかを示す。シーケンスｔｙｐｅ「開始」は開始シーケンスを示し、シーケンスｔｙｐｅ「終了」は終了シーケンスを示し、シーケンスｔｙｐｅ「取得」は取得シーケンスを示す。ステップテーブルは、ステップＮｏと、種類と、ステップ内容と、次ステップと、の各項目の列を有する行と列からなる２次元の表形式のデータである。ステップＮｏは、ステップの番号である。種類は、ステップおける処理である。種類「メッセージ」はメッセージを送信または受信することを示す。また、種類「通信切断」は、通信を切断することを示す。ステップ内容は、種類が「メッセージ」である場合に送信または受信するメッセージを示す。次ステップは、次のステップのステップＮｏである。次ステップ「ｅｎｄ」はシーケンスの終了を示す。
【００４３】
図１０は、開始シーケンス定義情報の一例を示す。本例では、シーケンス名が開始シーケンスであり、シーケンスｔｙｐｅが開始である。また、ステップテーブルの１行目は、ステップＮｏが１であり、種類がメッセージであり、ステップ内容が初期設定メッセージであり、次ステップが２である。２行目は、ステップＮｏが２であり、種類がメッセージであり、ステップ内容が初期設定完了メッセージであり、次ステップが３である。３行目は、ステップＮｏが３であり、種類がメッセージであり、ステップ内容が機器状態取得要求メッセージであり、次ステップが４である。４行目は、ステップＮｏが４であり、種類がメッセージであり、ステップ内容が機器状態取得応答メッセージであり、次ステップがｅｎｄである。
【００４４】
シーケンス実行部３２１は、シーケンス定義情報に基づいてシーケンスを実行する際、ステップＮｏの小さいステップから順に各ステップを実行する。また、シーケンス実行部３２１は、ステップの実行が完了すると、次ステップに記載されているステップＮｏのステップを実行する。また、シーケンス実行部３２１は、次ステップに「ｅｎｄ」が設定されている場合には、シーケンスの実行を終了する。本例では、まず、シーケンス実行部３２１は、ステップＮｏ「１」のステップを実行する。次に、シーケンス実行部３２１は、ステップＮｏ「１」の次ステップに記載されているステップＮｏ「２」のステップを実行する。続いて、シーケンス実行部３２１は、ステップＮｏ「２」の次ステップに記載されているステップＮｏ「３」のステップを実行する。最後に、シーケンス実行部３２１は、ステップＮｏ３の次ステップに記載されているステップＮｏ「４」の処理を実行して開始シーケンスを終了する。
【００４５】
図１１は、終了シーケンス定義情報の一例を示す。本例では、シーケンス名が終了シーケンスであり、シーケンスｔｙｐｅが終了である。ステップテーブルの１行目は、ステップＮｏが１であり、種類がメッセージであり、ステップ内容が終了設定メッセージであり、次ステップが２である。２行目は、ステップＮｏが２であり、種類がメッセージであり、ステップ内容が終了設定完了メッセージであり、次ステップが３である。３行目は、ステップＮｏが３であり、種類が通信切断であり、ステップ内容が（空白）であり、次ステップがｅｎｄである。
【００４６】
図１２は、取得シーケンス定義情報の一例を示す。
図１２（ａ）に示す例では、シーケンス名が取得シーケンスであり、シーケンスｔｙｐｅが取得である。取得シーケンスにおけるステップテーブルの１行目は、ステップＮｏが１であり、種類がメッセージであり、ステップ内容がモード設定要求メッセージ（ＡＡＡＡ）であり、次ステップが２である。２行目は、ステップＮｏが２であり、種類がメッセージであり、ステップ内容がデータ送信メッセージ（ＡＡＡＡ）であり、次ステップが３である。３行目は、ステップＮｏが３であり、種類がメッセージであり、ステップ内容がモード設定要求メッセージ（ＢＢＢＢ）であり、次ステップが４である。４行目は、ステップＮｏが４であり、種類がメッセージであり、ステップ内容がデータ送信メッセージ（ＢＢＢＢ）であり、次ステップがｅｎｄである。
【００４７】
図１２（ｂ）、図１２（ｃ）は、図１２（ａ）と異なる取得シーケンス定義情報の例であるが説明を省略する。
【００４８】
図１３から図１５は、第１の実施形態に係る定義情報記憶部３０７が記憶するメッセージ定義情報の一例を示す概略図である。
図示するように、メッセージ定義情報は、健康機器４と通信する際のメッセージを定義する情報であり、メッセージ名と、ｔｙｐｅと、メッセージ内容とを有するデータである。メッセージ名は、メッセージの名称であり、メッセージ定義情報の識別情報である。ｔｙｐｅは、メッセージが送信であるか受信であるかを示す。メッセージ内容は、メッセージの内容であり、Ｎｏとメッセージデータとの各項目の列を有する行と列からなる２次元の表形式のデータである。定義情報記憶部３０７は、記憶しているシーケンス定義情報に記載された全てのメッセージのメッセージ定義情報を記憶している。
【００４９】
シーケンス実行部３２１は、シーケンスにおけるステップの種類がメッセージである場合、ステップ内容のメッセージに対応するメッセージ定義情報を定義情報記憶部３０７から読み出し、読み出したメッセージ定義情報に基づいてメッセージを送信または受信する。シーケンス実行部３２１は、メッセージ定義情報のｔｙｐｅが送信である場合、メッセージ内容にあるメッセージデータをＮｏの順に並べたメッセージを生成し、生成したメッセージを健康機器４に送信する。一方、シーケンス実行部３２１は、メッセージ定義情報のｔｙｐｅが受信である場合、健康機器４から受信したメッセージが、メッセージ内容にあるメッセージデータをＮｏの順に並べたものであるか否かを判定することにより、メッセージを正しく受信したか否かを判定する。なお、シーケンス実行部３２１は、メッセージデータが（空白）である部分については当該判定を行わない。
【００５０】
図１３（ａ）は、初期設定メッセージのデータ例を示す。初期設定メッセージのｔｙｐｅは「送信」である。また、メッセージ内容の１行目は、Ｎｏが０であり、メッセージデータが１１である。２行目は、Ｎｏが１であり、メッセージデータが２２である。３行目は、Ｎｏが２であり、メッセージデータがＸＸである。Ｌ＋１行目は、ＮｏがＬであり、メッセージデータがＸＸである。
【００５１】
図１３（ｂ）は、初期設定完了メッセージのデータ例を示す。初期設定完了メッセージのｔｙｐｅは「受信」である。また、メッセージ内容の１行目は、Ｎｏが０であり、メッセージデータが１２である。２行目は、Ｎｏが１であり、メッセージデータが２３である。３行目は、Ｎｏが２であり、メッセージデータが（空白）である。Ｍ＋１行目は、ＮｏがＭであり、メッセージデータが（空白）である。
【００５２】
図１４（ａ）は、モード設定要求メッセージ（ＡＡＡＡ）のデータ例を示す。モード設定要求メッセージ（ＡＡＡＡ）のｔｙｐｅは「送信」である。また、メッセージ内容の１行目は、Ｎｏが０であり、メッセージデータがＡＡである。２行目は、Ｎｏが１であり、メッセージデータがＡＡである。３〜Ｎ＋１行目は、Ｎｏが２〜Ｎであり、メッセージデータがパラメータ０〜Ｎ−２である。
【００５３】
図１４（ｂ）は、モード設定要求メッセージ（ＢＢＢＢ）のデータ例を示す。モード設定要求メッセージ（ＢＢＢＢ）のｔｙｐｅは「送信」である。また、メッセージ内容の１行目は、Ｎｏが０であり、メッセージデータがＢＢである。２行目は、Ｎｏが１であり、メッセージデータがＢＢである。３〜Ｎ＋１行目は、Ｎｏが２〜Ｎであり、メッセージデータがパラメータ０〜Ｎ−２である。
【００５４】
図１５（ａ）は、データ送信メッセージ（ＡＡＡＡ）のデータ例を示す。データ送信メッセージ（ＡＡＡＡ）のｔｙｐｅは「受信」である。また、メッセージ内容の１〜１３行目は、Ｎｏが０〜１２であり、メッセージデータが（空白）である。ここで、Ｎｏ「０」〜Ｎｏ「１２」のメッセージデータはデータＩＤ＝ＡＡＡＡとして処理されるデータである。
【００５５】
図１５（ｂ）は、データ送信メッセージ（ＢＢＢＢ）のデータ例を示す。データ送信メッセージ（ＢＢＢＢ）のｔｙｐｅは「受信」である。また、メッセージ内容の１行目は、Ｎｏが０であり、メッセージデータが（空白）である。ここで、Ｎｏ「０」のメッセージデータはデータＩＤ＝ＢＢＢＢとして処理されるデータである。
【００５６】
次に、シーケンス調整部３２２における取得シーケンスの選択方法について説明する。ここでは、機器特定情報が「機器群１」である場合について説明する。シーケンス調整部３２２は、機器特定情報「機器群１」に対応する取得シーケンス名「取得シーケンス１」と「取得シーケンス２」とを定義情報記憶部３０７が記憶するシーケンステーブルから読み出す。そして、シーケンス調整部３２２は、読み出したシーケンス名「取得シーケンス１」と「取得シーケンス２」とを含む問い合わせをデータ収集サーバ装置１に送信し、当該問い合わせに対する応答に基づいて最適な取得シーケンスを選択する。
【００５７】
なお、上述した例では、シーケンス調整部３２２は、複数の取得シーケンスから１つ最適な取得シーケンスを選択しているが、これに限らず、図１４に示すように、メッセージ定義情報にパラメータがある場合には、パラメータの値を選択するようにしてもよい。
【００５８】
本例では、まず、シーケンス調整部３２２は、取得シーケンスに係るシーケンス定義情報とモード設定要求メッセージに係るメッセージ定義情報とを定義情報記憶部３０７から読み出す。続いて、シーケンス調整部３２２は、取得シーケンスにおいて送信するモード設定要求メッセージ（ＡＡＡＡ）及びモード設定要求メッセージ（ＢＢＢＢ）にパラメータがあるため、当該パラメータに関する問い合わせをデータ収集サーバ装置１に送信する。そして、シーケンス調整部３２２は、当該問い合わせに対する応答に基づいてパラメータの値を決定し、決定した値を各パラメータに代入したものを最適な取得シーケンスとして選択する。
【００５９】
なお、取得シーケンス、取得シーケンス１及び取得シーケンス２では、モード設定要求メッセージ、モード設定要求メッセージ１又はモード要求メッセージ２により健康機器４の動作モードを設定しているが、動作モードを設定する必要がなく、単純に一方的にデータを送信する健康機器４の場合には単純取得シーケンスを適用する。
【００６０】
図１６は、第１の実施形態に係る変換処理部３０のフォーマット変換処理の一例を示すフローチャートである。
ステップＳＴ１０１において、ペアリング部３０１は、広告（ａｄｖｅｒｔｉｓｉｎｇ）している健康機器４を検出し、当該健康機器４と接続し、初めて通信接続される健康機器４か否かを判定する。健康機器４が初めて通信接続される場合、ステップＳＴ１０２に進む。一方、初めて通信接続される健康機器４ではない場合、ステップＳＴ１０５に進む。
ステップＳＴ１０２において、ペアリング部３０１は、健康機器４と通信情報を交換し、通信接続を確立する（ペアリング実行）。
ステップＳＴ１０３において、ペアリング部３０１は、通信接続された健康機器４が提供するサービスを検索し、当該サービスに含まれる機器情報を提供するサービスに対してデータ要求を行い、健康機器４から機器情報を取得する。
【００６１】
なお、本実施形態では、情報処理装置３は、ステップＳＴ１０２及びＳＴ１０３において、ペアリングを行い、接続を確立した上で機器情報を取得しているが、これに限らず、ペアリングを行わない健康機器４と通信する場合には、ペアリングを行わずに接続を確立して機器情報を取得するようにしてもよい。或いは、情報処理装置３は、例えば、健康機器４の広告に機器情報が含まれる場合等、接続を確立せずとも機器情報を取得することができる場合は、接続を確立せずに取得した機器情報を利用してもよい。
【００６２】
ステップＳＴ１０４において、ペアリング部３０１は、取得した機器情報を機器情報記憶部３０２に記憶させ、ステップＳＴ１０６に進む。
ステップＳＴ１０５において、機器特定部３０４は、機器情報記憶部３０２から機器情報を読み出し、ステップＳＴ１０６に進む。
ステップＳＴ１０６において、機器特定部３０４は、機器情報に含まれるメーカー名と型番とから機器特定情報を生成する。
【００６３】
ステップＳＴ１０７において、定義情報取得部３０５は、機器特定情報に対応する定義情報が定義情報記憶部３０７に記憶されているか否かを判定する。定義情報が記憶されている場合、ステップＳＴ１１０に進む。一方、定義情報が記憶されていない場合、ステップＳＴ１０８に進む。
ステップＳＴ１０８において、定義情報取得部３０５は、機器特定部３０４が生成した機器特定情報に基づいて定義情報サーバ装置２に問い合わせを送信し、当該問い合わせに対する応答として当該機器特定情報に対応する定義情報を取得する。
【００６４】
ステップＳＴ１０９において、定義情報取得部３０５は、機器特定部３０４が生成した機器特定情報と取得した定義情報とを対応付けて定義情報記憶部３０７に記憶させる。具体的には、定義情報取得部３０５は、機器特定部３０４が生成した機器特定情報と、取得した定義情報に含まれるデータ定義情報、シーケンス定義情報およびメッセージ定義情報とを対応付けて定義情報記憶部３０７に記憶させ、ステップＳＴ１１１に進む。
ステップＳＴ１１０において、定義情報取得部３０５は、機器特定部３０４が生成した機器特定情報に対応する定義情報を定義情報記憶部３０７から読み出し、ステップＳＴ１１１に進む。
【００６５】
なお、情報処理装置３が健康機器４と接続を開始して（ステップＳＴ１０１）から、定義情報サーバ装置２から定義情報を取得し（ステップＳＴ１０８）、取得した定義情報を記憶する（ステップＳＴ１０９）までに時間がかかることがある。この場合、健康機器４によっては、接続タイムアウトが発生し、確立した接続が切断されてしまうことがある。このような場合には、情報処理装置３は、定義情報が利用可能になった段階（ステップＳＴ１０９又はＳＴ１１０）で健康機器４と再接続して処理を継続する。
【００６６】
ステップＳＴ１１１において、シーケンス実行部３２１が、機器特定部３０４が生成した機器特定情報に対応する開始シーケンス定義情報を定義情報記憶部３０７から読み出し、読み出した開始シーケンス定義情報に従って開始シーケンスを実行し、健康機器４との通信を開始する。
ステップＳＴ１１２において、シーケンス調整部３２２が、複数の取得シーケンス定義情報から最適な取得シーケンス定義情報を１つ選択する。具体的には、シーケンス調整部３２２は、機器特定部３０４が生成した機器特定情報に対応する取得シーケンス定義情報を定義情報記憶部３０７から読み出し、読み出した取得シーケンス定義情報に関する問い合わせをデータ収集サーバ装置１に送信する。続いて、シーケンス調整部３２２は、当該問い合わせに対する応答に基づいて最適な取得シーケンス定義情報を選択する。
ステップＳＴ１１３において、シーケンス実行部３２１は、シーケンス調整部３２２が選択した最適な取得シーケンス定義情報に従って取得シーケンスを実行し、健康機器４の動作モードを設定する。
【００６７】
ステップＳＴ１１４において、データ取得部３０６は、健康機器４から随時、送信される測定データを取得する。
ステップＳＴ１１５において、フォーマット変換部３０８は、機器特定部３０４が生成した機器特定情報に対応するデータ定義情報に基づいて測定データのデータ情報ごとにデータ変換し、データ変換した測定データのデータフォーマットを変換することで送信データを生成する。
ステップＳＴ１１６において、データ送信部３０９は、送信データを送信する。
ステップＳＴ１１７において、シーケンス実行部３２１は、機器特定部３０４が生成した機器特定情報に対応する終了シーケンス定義情報を定義情報記憶部３０７から読み出し、読み出した終了シーケンス定義情報に従って終了シーケンスを実行し、健康機器４との通信を終了する。
【００６８】
なお、情報処理装置３は、データフォーマット変換に必要なデータ情報が複数ある場合、該当するデータ送信要求をそれぞれ送信し、ステップＳＴ１１３からステップＳＴ１１４までの処理を繰り返し行ってもよい。
また、上述したフローチャートでは、情報処理装置３は、ステップＳＴ１１７において自動的に健康機器４との通信を切断しているが、これに限らず、例えば、シーケンス調整部３２２がデータ収集サーバ装置１から取得したデータに基づいて、測定データの取得及び通信の切断をしてもよい。例えば、情報処理装置３は、ステップＳＴ１１６の後に通信を継続させて、再度測定データを取得するようにしてもよい。これにより、再度測定データを取得する際に、通信接続に関する処理を省略することができるため、処理時間を省略することができる。
【００６９】
このように、本実施形態によれば、情報処理装置３は、生体の状態を測定する生体測定機器（健康機器４）と通信接続される情報処理装置３であって、生体測定機器（健康機器４）に関する情報を取得する機器情報取得部（ペアリング部３０１）と、機器情報取得部（ペアリング部３０１）が取得した生体測定機器（健康機器４）に関する情報に基づいて生体測定機器（健康機器４）を特定する機器特定部３０４と、定義情報を生体測定機器（健康機器４）ごとに記憶する定義情報記憶部３０７と、機器特定部３０４が特定した生体測定機器（健康機器４）に応じたシーケンス定義情報を定義情報記憶部３０７から読み出し、読み出したシーケンス定義情報に基づいて生体測定機器（健康機器４）と通信するシーケンス実行部３２１と、機器特定部３０４が特定した生体測定機器（健康機器４）に応じたデータ定義情報を定義情報記憶部３０７から読み出し、読み出したデータ定義情報に基づいて生体の状態を表すデータのデータフォーマットを変換するフォーマット変換部３０８と、フォーマット変換部３０８が変換したデータフォーマットで生体測定機器（健康機器４）から送信されたデータを送信するデータ送信部３０９と、を備える。
【００７０】
これにより、情報処理装置３は、データ長、開始フラグ、終了フラグなどのデータフォーマットの特徴が同じ場合であっても、機器特定情報に基づいて機器を特定できるため、当該機器に応じた定義情報に基づいてデータのデータフォーマットを変換できる。
【００７１】
また、情報処理装置３は、通信開始時、または、通信終了時に所定の設定を行う必要のある健康機器４と通信するときに、事前にその健康機器４に設定すべき項目の内容（仕様）を実装していない場合であっても、その健康機器４に対応したシーケンス定義情報を基に、通信開始または通信終了時に必要な所定の設定を行う事ができる。これにより、情報処理装置３は、各健康機器４に応じた実装をすることなく、各健康機器４から測定データを的確に取得することができる。
更に、情報処理装置３は、複数の取得シーケンスから最適な取得シーケンスを選択しているため、複数の条件の測定データを格納する健康機器４からも取得したい条件の測定データを選択して取得することができる。
【００７２】
（第２の実施形態）
次に、本発明の第２の実施形態について説明する。
本実施形態における情報処理システムＳ１の構成及び情報処理装置３ａのハードウェア構成は、図１又は図２に示す第１の実施形態における構成と同様であるため、その説明を省略する。図１７は、第２の実施形態に係る情報処理装置３ａの機能構成の一例を示す概略ブロック図である。以下、説明の便宜を図るため、２台の健康機器４のそれぞれに対し、Ａ，Ｂの符号を割り当て、健康機器４Ａ，４Ｂと記す。なお、各健康機器４Ａ，４Ｂに共通する事項については、Ａ，Ｂの符号を省略し、単に「健康機器４」又は「各健康機器４」と記す。ここで、健康機器４Ａは健康機器４Ｂの前衛機種であり、健康機器４Ｂは健康機器４Ａの後継機種である。
【００７３】
第１の実施形態では、複数の健康機器４に対応する場合、それぞれの機種に対して定義情報を定義する必要がある。例えば、対象となる健康機器４毎に出力してくるデータフォーマットや（データやり取りの前後に生じる）シーケンスやメッセージ交換に関して、既に対応済みの健康機器４Ａがあった際に、処理が部分的に異なる別の健康機器４Ｂと接続する場合において、追加フォーマットにのみ対応する機能がないため、新規でデータフォーマット、シーケンス、メッセージ等の動作に応じた定義情報を定める必要がある。この場合、たとえば同じ機器メーカーが新商品を出すごとに新たな定義情報を定め、情報処理装置３にダウンロードする必要があるため、たとえば新商品が既存の商品に一部機能を追加搭載した程度であっても、動作全体に必要な定義情報をダウンロードしなければならない。
【００７４】
そのため、本実施形態における情報処理装置３ａは、既にダウンロード済みの定義情報Ａを使用する健康機器４Ａの派生機種である健康機器４Ｂに対する定義情報Ｂ’を定める場合、定義差分情報Ｂを用いる。定義差分情報は、基本となる定義情報Ａとの差分を示すデータである。情報処理装置３ａは、定義差分情報Ｂを定義情報サーバ装置２から受信して解析する。そして、情報処理装置３は、解析した定義差分情報Ｂと基本となる定義情報Ａとに基づいて、健康機器４Ｂの定義情報Ｂ’を生成する。
【００７５】
本実施形態における変換処理部３０ａは、制御部３４が記憶部３１からプログラムを読み出して実行することで実現される。変換処理部３０ａは、第１の実施形態における変換処理部３０の構成に加えて、定義情報決定部３３１を備える。定義情報決定部３３１は、他の健康機器４Ａとの差分を示す定義差分情報Ｂと健康機器４Ａの定義情報Ａとに基づいて、機器特定部３０４が特定した健康機器４Ｂに対応する定義情報Ｂ’を決定する。シーケンス実行部３２１は、定義情報決定部３３１が決定したシーケンス定義情報に基づいて健康機器４と通信する。フォーマット変換部３０８は、定義情報決定部３３１が決定したデータ定義情報に基づいて測定データのデータフォーマットを変換する。変換処理部３０ａの他の構成は、第１の実施形態と同様であるため、その説明を省略する。
【００７６】
本実施形態における定義情報サーバ装置２は、機器特定情報に対応する定義情報又は定義差分情報を記憶している。定義情報サーバ装置２は、情報処理装置３から機器特定情報を含む問い合わせを受けると、当該問い合わせに対する応答として、当該機器特定情報に対応する定義情報又は定義差分情報を情報処理装置３に返す。
【００７７】
図１８は、第２の実施形態に係る健康機器４から送信される測定データおよびデータフォーマットの一例を示す概略図である。図１８（ａ）は、健康機器４Ａから送信される測定データである。本図に示すデータ例は、図６に示す例と同一であるため、説明を省略する。図１８（ｂ）は、健康機器４Ｂから送信される測定データである。本例では、図１８（ａ）に示すデータ例に加えて、体脂肪率のデータと骨格筋率のデータとの間に水分量のデータｄｄ、ｆ１と体年齢のデータ２０、００とが格納されている。このため、骨格筋率のデータＩＤが８に変更されており、タイムスタンプのデータＩＤが１０に変更されている。このように、健康機器４Ｂの測定データは、健康機器４Ａの測定データに加えて、水分量のデータと体年齢のデータとを含む。このため、情報処理装置３ａは、健康機器４Ａの測定データと健康機器４Ｂの測定データとの差分を示す定義差分情報Ｂに基づいて、健康機器４Ｂの定義情報Ｂ’を定める。なお、健康機器４Ａと健康機器４Ｂとにおける通信のシーケンスは同一である。
【００７８】
図１９は、第２の実施形態に係る定義情報記憶部３０７が記憶する定義情報及び定義差分情報の一例を示す概略図である。
図１９（ａ）は、健康機器４Ａの定義情報Ａの一例を示す。図示するように、定義情報には、バージョン番号と、データ定義情報と、シーケンス定義情報と、メッセージ定義情報とが含まれる。バージョン番号は、健康機器４Ａのバージョンに関する情報である。また、データ定義情報には、データ定義と、変則規則と、指定のデータフォーマットが含まれる。
【００７９】
図１９（ｂ）は、健康機器４Ｂの定義差分情報Ｂの一例を示す。図示するように、定義差分情報には、バージョン番号と、基本定義差分情報と、データ定義タイプ差分情報（データ定義差分情報）と、が含まれる。基本定義差分情報は、基本となる定義情報Ａとの差分を示すデータである。定義タイプ差分情報は、各定義タイプにおける差分を示すデータであり、本例では、データ定義情報の差分を示すデータ定義差分情報である。なお、本例では、シーケンス定義情報及びメッセージ定義情報は変更がない（定義情報Ａと同一である）ため、定義差分情報に含まれない。
【００８０】
図２０は、第２の実施形態に係る定義情報記憶部３０７が記憶する基本定義差分情報の一例を示す概略図である。
図示するように、基本定義差分情報は、基本定義名と、定義タイプと、変更と、の各項目の列を有する行と列からなる２次元の表形式のデータである。基本定義名は、基本となる定義情報Ａのバージョン番号である。定義タイプは、定義情報の種別（データ、シーケンス又はメッセージ）である。変更は、対応する定義タイプが基本定義名の定義情報から変更されている（「あり」）か変更されていない（「なし」）かを示す。
【００８１】
本例に示す基本定義差分情報の１行目は、基本定義名が定義情報Ａのバージョン番号であり、定義タイプがデータ定義であり、変更がありである。２行目は、基本定義名が定義情報Ａのバージョン番号であり、定義タイプが変則規則であり、変更がありである。３行目は、基本定義名が定義情報Ａのバージョン番号であり、定義タイプがデータフォーマットであり、変更がありである。４行目は、基本定義名が定義情報Ａのバージョン番号であり、定義タイプがシーケンス定義であり、変更がなしである。５行目は、基本定義名が定義情報Ａのバージョン番号であり、定義タイプがメッセージ定義であり、変更がなしである。
【００８２】
図２１は、第２の実施形態に係る定義情報記憶部３０７が記憶するデータ定義差分情報の一例を示す概略図である。
図示するようにデータ定義差分情報は、定義番号と、データ名と、データＩＤと、データ構造と、位置と、サイズと、データ型と、単位と、変換位置と、データ型変換と、単位変換と、変更区分と、の各項目の列を有する行と列からなる２次元の表形式のデータである。変更区分は、変更が「追加」であるか「変更」であるか「削除」であるかを示す。変更区分が「追加」である場合には、全ての項目に値が記載されている。また、変更区分が「変更」である場合には、変更のある項目のみ記載されており、他の項目は記載されていない。また、変更区分が「削除」である場合には、各項目の値は記載されていない。
【００８３】
本図に示すデータ定義差分情報の１行目は、定義番号が６であり、データ名が水分量であり、データＩＤがＡＡＡＡであり、データ構造が多重であり、位置が４であり、サイズが２であり、データ型が１６ビット浮動小数点数であり、単位がＫｇであり、変換位置が（５）であり、データ型変換が最大３桁小数点第１位であり、単位変換が「そのまま」であり、変更区分が追加である。２行目は、定義番号が７であり、データ名が体年齢であり、データＩＤがＡＡＡＡであり、データ構造が多重であり、位置が６であり、サイズが２であり、データ型が１６ビット浮動小数点数であり、単位が％であり、変換位置が（６）であり、データ型変換が最大３桁小数点第１位であり、単位変換が「そのまま」であり、変更区分が追加である。３行目は、定義番号が３であり、データ名が骨格筋率であり、位置が８であり、変換位置が（７）であり、変更区分が変更であり、他の項目は記載されていない。４行目は、定義番号が４であり、データ名がタイムスタンプであり、位置が１０であり、変更区分が変更であり、他の項目は記載されていない。
【００８４】
定義情報決定部３３１は、健康機器４Ａのデータ定義情報Ａと、健康機器４Ｂのデータ定義差分情報Ｂとに基づいて、健康機器４Ｂのデータ定義情報Ｂ’を生成する。以下、データ定義情報Ａが図４に示すデータであり、データ定義差分情報Ｂが図２１に示すデータである場合を例に説明する。定義情報決定部３３１は、データ定義差分情報Ｂの変更区分が追加である定義Ｎｏ６，７の情報を全て定義情報Ａに追加する。また、定義情報決定部３３１は、データ定義差分情報Ｂの変更区分が変更である定義Ｎｏ３，４の情報のうち、記載のある項目のデータのみを定義情報Ａに上書きする。また、定義情報決定部３３１は、データ定義差分情報Ｂの変更区分が削除である定義Ｎｏの情報を全て定義情報Ａから削除する。このように、定義情報決定部３３１は、データ定義差分情報Ｂに基づいて、データ定義情報Ａからデータ定義情報Ｂ’を生成する。
【００８５】
図２２は、第２の実施形態に係る送信データのデータフォーマットの一例を示す概略図である。図２２（ａ）は、健康機器４Ａのデータ定義情報Ａに基づく送信データのデータフォーマットである。本図に示すデータフォーマットは、図５に示すものと同一であるため、その説明を省略する。図２２（ｂ）は、健康機器４Ｂのデータ定義情報Ｂ’に基づく送信データのデータフォーマットである。本例では、図２２（ａ）に示すデータフォーマットに加えて、体脂肪率のデータと骨格筋率のデータとの間に水分量のデータと体年齢のデータとが格納されている。このため、骨格筋率のデータの位置が（７）に変更されている。
【００８６】
なお、上述した例では、データ定義情報Ｂ’を生成する場合について説明したが、シーケンス定義情報やメッセージ定義情報についても同様の処理により、生成することができる。
【００８７】
図２３は、第２の実施形態に係る変換処理部３０ａの定義情報決定処理の一例を示すフローチャートである。
本図に示す処理は、上述したステップＳＴ１１１の直前に実行される。なお、本実施形態におけるフォーマット変換処理の手順は、第１の実施形態と同様であるため、その説明を省略する。以下、健康機器４Ｂの定義情報Ｂ’を決定する場合を例に説明する。
【００８８】
ステップＳＴ２０１において、定義情報決定部３３１は、機器特定部３０４が生成した機器特定情報に対応する定義差分情報Ｂを定義情報記憶部３０７から読み出し、読み出した定義差分情報Ｂに基本定義差分情報があるか否かを判定する。基本定義差分情報がある場合、ステップＳＴ２０２に進む。一方、基本定義差分情報がない場合、ステップＳＴ２０３の処理に進む。
ステップＳＴ２０２において、定義情報決定部３３１は、機器特定部３０４が生成した機器特定情報に対応する定義情報Ｂを健康機器４Ｂの定義情報として解釈する。その後、処理を終了する。
【００８９】
ステップＳＴ２０３において、定義情報決定部３３１は、基本定義差分情報の定義タイプに変更があるか否かを判定する（定義タイプに対応する変更が「あり」であるか否か）。定義タイプに変更がある場合、ステップＳＴ２０４の処理に進む。一方、定義タイプに変更がない場合、ステップＳＴ２０５の処理に進む。
ステップＳＴ２０４において、定義情報決定部３３１は、当該定義タイプに対応する定義タイプ差分情報Ｂを、定義タイプに対応する基本定義名の定義情報Ａに追加、変更又は削除して、定義情報Ｂ’を生成し、生成した定義情報Ｂ’を健康機器４Ｂの定義情報として解釈する。その後、処理を終了する。
ステップＳＴ２０５において、定義情報決定部３３１は、定義タイプに対応する基本定義名の定義情報Ａを健康機器４Ｂの定義情報として解釈する。その後、処理を終了する。
【００９０】
なお、ステップＳＴ２０３〜ＳＴ２０５の処理は、基本定義差分情報にある定義タイプごとに実行する。
なお、データ定義情報Ｂ’の生成は、初めて接続し、定義差分情報Ｂを入手したときに生成した後に、定義情報記憶部３０７にデータ定義情報Ｂ’を記憶させてもよいし、定義差分情報を定義情報記憶部３０７に記憶させておき、健康機器４Ｂが接続するたびにて生成してもよい。
【００９１】
このように、本実施形態によれば、情報処理装置３ａは、第１の実施形態における情報処理装置３の構成に加えて、他の生体測定機器（健康機器４）の定義情報との差分を示す定義差分情報と、前記他の生体測定機器（健康機器４）の定義情報とに基づいて、機器特定部３０４が特定した生体測定機器（健康機器４）に対応する定義情報を決定する定義情報決定部３３１をさらに備え、シーケンス実行部３２１は、定義情報決定部３３１が決定したシーケンス定義情報に基づいて生体測定機器（健康機器４）と通信し、フォーマット変換部３０８は、定義情報決定部３３１が決定したデータ定義情報に基づいて前記生体の状態を表すデータのデータフォーマットを変換する。
【００９２】
これにより、情報処理装置３ａは、第１の実施形態における効果に加えて、新たな対応健康機器４が追加されるたびにダウンロードする定義情報の記述が、より少なくなるため、ダウンロードする定義情報及び保持する定義情報のデータを削減することができる。また、定義情報を新たに作成する際の手間も軽減することができる。
【００９３】
なお、上述した実施形態における情報処理装置３、３ａの一部、例えば、変換処理部３０、３０ａをコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、情報処理装置３，３ａに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００９５】
例えば、上述した実施形態では、情報処理装置３、３ａは、ネットワークを介して定義情報サーバ装置２から定義情報を取得しているが、これに限らず、情報処理装置３、３ａに接続可能な記憶媒体に定義情報を記憶しておき、当該記憶された定義情報を利用してもよい。記憶媒体は、例えば、光磁気ディスク、フレキシブルディスク、フラッシュメモリなどの可搬記憶媒体である。或いは、健康機器４に張り付けられたＱＲ（Ｑｕｉｃｋ  Ｒｅｓｐｏｎｓｅ）コード（登録商標）やＲＦＩＤ（Ｒａｄｉｏ  Ｆｒｅｑｕｅｎｃｙ  ＩＤｅｎｔｉｆｉｃａｔｉｏｎ）に定義情報を格納してもよい。この場合、情報処理装置３、３ａは、ＱＲコード（登録商標）またはＲＦＩＤから定義情報を読み取り、読み取った定義情報を利用する。
また、上述した実施形態では、第１通信部３５の通信をブルートゥースとしたが、これに限らず、例えば、シリアル（例えば、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ））やＵＳＢなどの有線通信や、赤外線や無線ＬＡＮなどの無線通信であってもよい。
【００９６】
（１）生体の状態を測定する生体測定機器と通信接続される情報処理装置であって、前記生体測定機器に関する情報を取得する機器情報取得部と、機器情報取得部が取得した前記生体測定機器に関する情報に基づいて前記生体測定機器を特定する機器特定部と、通信に関するシーケンスを示す定義情報であるシーケンス定義情報とデータフォーマットを示す定義情報であるデータ定義情報とを生体測定機器ごとに記憶する定義情報記憶部と、機器特定部が特定した生体測定機器に応じたシーケンス定義情報を定義情報記憶部から読み出し、読み出した前記シーケンス定義情報に基づいて生体測定機器と通信するシーケンス実行部と、機器特定部が特定した生体測定機器に応じたデータ定義情報を定義情報記憶部から読み出し、読み出したデータ定義情報に基づいて生体の状態を表すデータのデータフォーマットを変換するフォーマット変換部と、フォーマット変換部が変換したデータフォーマットで生体測定機器から送信されたデータを送信するデータ送信部と、を備えることを特徴とする情報処理装置。
【００９７】
（２）データ送信部がデータを送信する送信先に基づいて、生体測定機器からデータを取得するための取得シーケンス定義情報を選択するシーケンス調整部をさらに備え、シーケンス実行部は、シーケンス調整部が選択した取得シーケンス定義情報に基づいて、生体測定機器に対してデータを要求することを特徴とする（１）に記載の情報処理装置。
（３）他の生体測定機器の定義情報との差分を示す定義差分情報と、他の生体測定機器の定義情報とに基づいて、機器特定部が特定した生体測定機器に対応する定義情報を決定する定義情報決定部をさらに備え、シーケンス実行部は、定義情報決定部が決定したシーケンス定義情報に基づいて生体測定機器と通信し、フォーマット変換部は、定義情報決定部が決定したデータ定義情報に基づいて前記生体の状態を表すデータのデータフォーマットを変換することを特徴とする（１）または（２）に記載の情報処理装置。
【００９８】
（４）生体の状態を測定する生体測定機器と通信接続される情報処理装置とを備える情報処理システムであって、生体測定機器は、測定した前記生体の状態を表すデータおよび生体測定機器に関する情報を送信し、情報処理装置は、生体測定機器に関する情報を取得する機器情報取得部と、機器情報取得部が取得した生体測定機器に関する情報に基づいて生体測定機器を特定する機器特定部と、通信に関するシーケンスを示す定義情報であるシーケンス定義情報とデータフォーマットを示す定義情報であるデータ定義情報とを生体測定機器ごとに記憶する定義情報記憶部と、機器特定部が特定した生体測定機器に応じたシーケンス定義情報を定義情報記憶部から読み出し、読み出した前記シーケンス定義情報に基づいて生体測定機器と通信するシーケンス実行部と、機器特定部が特定した生体測定機器に応じたデータ定義情報を定義情報記憶部から読み出し、読み出したデータ定義情報に基づいて生体の状態を表すデータのデータフォーマットを変換するフォーマット変換部と、フォーマット変換部が変換したデータフォーマットで生体測定機器から送信されたデータを送信するデータ送信部と、を備えることを特徴とする情報処理システム。
【００９９】
（５）生体の状態を測定する生体測定機器と通信接続される情報処理装置における情報処理方法であって、前記生体測定機器に関する情報を取得する機器情報取得過程と、機器情報取得過程が取得した生体測定機器に関する情報に基づいて生体測定機器を特定する機器特定過程と、通信に関するシーケンスを示す定義情報であるシーケンス定義情報とデータフォーマットを示す定義情報であるデータ定義情報とを生体測定機器ごとに記憶する定義情報記憶部から、機器特定過程が特定した生体測定機器に応じたシーケンス定義情報を読み出し、読み出したシーケンス定義情報に基づいて生体測定機器と通信するシーケンス実行過程と、定義情報記憶部から、機器特定過程が特定した生体測定機器に応じたデータ定義情報読み出し、読み出したデータ定義情報に基づいて生体の状態を表すデータのデータフォーマットを変換するフォーマット変換過程と、フォーマット変換過程が変換したデータフォーマットで生体測定機器から送信されたデータを送信するデータ送信過程と、を有することを特徴とする情報処理方法。
【符号の説明】
【０１００】
Ｓ１・・・情報処理システム、１・・・データ収集サーバ装置、２・・・定義情報サーバ装置、３、３ａ・・・情報処理装置、４・・・健康機器、３０、３０ａ・・・変換処理部、３１・・・記憶部、３２・・・入力部、３３・・・第２通信部、３４・・・制御部、３５・・・第１通信部、３６・・・表示部、３０１・・・ペアリング部、３０２・・・機器情報記憶部、３０４・・・機器特定部、３０５・・・定義情報取得部、３０６・・・データ取得部、３０７・・・定義情報記憶部、３０８・・・フォーマット変換部、３０９・・・データ送信部、３２１・・・シーケンス実行部、３２２・・・シーケンス調整部、３３１・・・定義情報決定部
【図１】
2016045735.tif 000003
【図２】
2016045735.tif 000004
【図３】
2016045735.tif 000005
【図４】
2016045735.tif 000006
【図５】
2016045735.tif 000007
【図６】
2016045735.tif 000008
【図７】
2016045735.tif 000009
【図８】
2016045735.tif 000010
【図９】
2016045735.tif 000011
【図１０】
2016045735.tif 000012
【図１１】
2016045735.tif 000013
【図１２】
2016045735.tif 000014
【図１３】
2016045735.tif 000015
【図１４】
2016045735.tif 000016
【図１５】
2016045735.tif 000017
【図１６】
2016045735.tif 000018
【図１７】
2016045735.tif 000019
【図１８】
2016045735.tif 000020
【図１９】
2016045735.tif 000021
【図２０】
2016045735.tif 000022
【図２１】
2016045735.tif 000023
【図２２】
2016045735.tif 000024
【図２３】
2016045735.tif 000025